(57)【特許請求の範囲】
【請求項１】
油相中に、ＳＵＳ型トリグリセリドを１５〜８０質量％（油相基準）含有し、且つ、ＨＬＢが３以下のショ糖脂肪酸エステルと、ＨＬＢが５以下のポリグリセリン脂肪酸エステルとを、１：９〜９：１の質量比率（前者：後者）で、且つ、合計して０．２〜０．４質量％（油相基準）含有し、その他の乳化剤の合計量が０〜０．２質量％とすることを特徴とする油脂組成物の長期のブルームの抑制方法。
ただし、上記Ｓ及びＵは、それぞれ下記の脂肪酸を示す。
Ｓ：炭素数１６〜１８の飽和脂肪酸
Ｕ：炭素数１６〜１８のシス型モノエンの不飽和脂肪酸
【請求項２】
上記ＳＵＳ型トリグリセリド中の２−オレオ−１，３−ジパルミトグリセリドの割合が、４０質量％以上であることを特徴とする請求項１記載の油脂組成物の長期のブルームの抑制方法。
【請求項３】
上記２−オレオ−１，３−ジパルミトグリセリドが、パーム油及び／又はパーム分別油由来であることを特徴とする請求項２記載の油脂組成物の長期のブルームの抑制方法。
【発明の詳細な説明】
【技術分野】
【０００１】
本発明は、多量の添加物を使用することなく、シャープな口溶けを有し、且つ、長期にわたるブルーム耐性を有する油脂組成物に関する。
【背景技術】
【０００２】
１、３飽和、２不飽和のトリグリセリドは対称型トリグリセリドといわれ、このトリグリセリドを多く含有する油脂組成物は大変シャープな口溶けを示す。
そのため、チョコレート等の油脂性菓子や、バタークリーム、シュガークリーム、ディップクリーム等のクリーム状食品等の油脂を多く含有する食品に、この対称型トリグリセリドを多く配合することで、それらの食品の口溶けを極めてシャープなものにすることができる。
【０００３】
しかし、この対称型トリグリセリドは、結晶性が高く、また他の油脂との相溶性が悪いため、経日的にブルームを起こす問題があった。
特に、2−オレオ−1,3−ステアリルグリセリド（以下、StOStグリセリドと言う）、2−オレオ−1,3−ジパルミトグリセリド（以下、POPグリセリドと言う）、2−オレオ−1,3−パルミトステアリルグリセリド（以下、POSグリセリドと言う）等の炭素数１６〜１８の脂肪酸からなるトリグリセリド（以下、ＳＵＳ型トリグリセリドと言う）は、結晶性が高く、ブルームを起こしやすい。
【０００４】
そのため、これらの対称型トリグリセリドに各種の乳化剤を添加することで、油脂結晶化を抑制する方法が各種検討されてきたが、モノグリセリドやレシチンを配合するだけではほとんど効果がみられず、効果がみられるくらいに乳化剤を添加すると、口溶けが悪化する問題があった。
【０００５】
そこで、口溶けを悪化させない程度の少量添加でも効果のある乳化剤を用いる方法が検討され、特定のショ糖脂肪酸エステルを使用する方法（例えば特許文献１参照）がまず行なわれたが、特許文献１の実施例にあるように、パーム油１００重量部に対し１重量部添加しても、２０℃で７〜５０日程度しか効果がなく、油脂結晶抑制作用は大変弱いものであった。
【０００６】
次いで、特定のポリグリセリン脂肪酸エステルを使用する方法（例えば特許文献２〜４参照）が行なわれた。これらの方法は、ショ糖脂肪酸エステルを使用する方法に比して結晶化抑制作用は大きい。しかし、これらの方法は、結晶成長抑制によりパーム系油脂のクリーミング性や吸水性を改善するための発明であるため、その結晶化抑制効果は十分ではなく、長期にわたってブルーム発生を防止するほどの強力な効果が得られるものではなかった。
【先行技術文献】
【特許文献】
【０００７】
【特許文献１】特開昭６２−２０５７３８号公報
【特許文献２】特開平５−１９９８３８号公報
【特許文献３】特開平８−４７３７３号公報
【特許文献４】特開平９−１７６６８０号公報
【発明の概要】
【発明が解決しようとする課題】
【０００８】
従って、本発明の目的は、多量の添加物を使用することなく、長期にわたるブルーム耐性及びシャープな口溶けを有する対称型トリグリセリドを多く含有する油脂組成物を提供することにある。
【課題を解決するための手段】
【０００９】
本発明者等は、上記目的を達成すべく種々検討した結果、対称型トリグリセリドを多く含有する油脂に対し、従来使用されてきたポリグリセリン脂肪酸エステルに加え、意外にも、従来ブルーム耐性が極めて弱いと言われていたショ糖脂肪酸エステルを併用することで、少量の乳化剤添加量でありながら、著しいブルーム耐性の向上を示すことを知見した。
【００１０】
本発明は、上記知見に基づいてなされたもので、油相中に、ＳＵＳ型トリグリセリドを１５〜８０質量％（油相基準）含有し、且つ、ＨＬＢが３以下のショ糖脂肪酸エステルと、ＨＬＢが５以下のポリグリセリン脂肪酸エステルとを、１：９〜９：１の質量比率（前者：後者）で、且つ、合計して０．２〜０．４質量％（油相基準）含有し、その他の乳化剤の合計量が０〜０．２質量％とすることを特徴とする油脂組成物の長期のブルームの抑制方法を提供するものである。
ただし、上記Ｓ及びＵは、それぞれ下記の脂肪酸を示す。
Ｓ：炭素数１６〜１８の飽和脂肪酸
Ｕ：炭素数１６〜１８のシス型モノエンの不飽和脂肪酸
【発明の効果】
【００１１】
本発明の油脂組成物は、シャープな口溶けと、長期にわたるブルーム耐性とを有する。また、該油脂組成物を使用した油脂性菓子やクリーム状食品等も、シャープな口溶けと、長期にわたるブルーム耐性とを有する。
【発明を実施するための形態】
【００１２】
以下、本発明の油脂組成物について詳述する
本発明の油脂組成物は、油相中に、ＳＵＳ型トリグリセリドを１５〜８０質量％（油相基準）、好ましくは２０〜７０質量％（油相基準）、より好ましくは２０〜５０質量％（油相基準）含有する。
油相中のＳＵＳ型トリグリセリドが、１５質量％未満であると、シャープな口溶けを有する油脂組成物が得られず、８０質量％を超えると、ブルーム発生防止が困難である。
【００１３】
本発明の油脂組成物においては、油相に上記のようなトリグリセリド組成の範囲でＳＵＳ型トリグリセリドを含有させるために、「ＳＵＳ型トリグリセリドそのもの」を使用してもよいが、実質的には、「ＳＵＳ型トリグリセリドを多く含有する油脂」を使用することが好ましい。
【００１４】
上記の「ＳＵＳ型トリグリセリドを多く含有する油脂」としては、例えば、パーム油、カカオ脂、シア脂、マンゴー核油、サル脂、イリッペ脂、コクム脂、デュパー脂、モーラー脂、フルクラ脂、チャイニーズタロー等の各種植物油脂、牛脂等の動物油脂、これらの各種動植物油脂を分別した加工油脂、並びに下記エステル交換油、及び該エステル交換油を分別した加工油脂を用いることができる。本発明では、これらの中から選ばれた１種又は２種以上を用いる。
【００１５】
上記のエステル交換油としては、例えば、パーム油、パーム核油、ヤシ油、コーン油、オリーブ油、綿実油、大豆油、ナタネ油、米油、ヒマワリ油、サフラワー油、牛脂、乳脂、豚脂、カカオ脂、シア脂、マンゴー核油、サル脂、イリッペ脂、魚油、鯨油等の各種動植物油脂、並びにこれらの各種動植物油脂を水素添加及び／又は分別した後に得られる加工油脂から選択される１種以上の油脂を用い、さらに必要に応じて脂肪酸及び／又は脂肪酸低級アルコールエステルを用いて製造したエステル交換油が挙げられる。
【００１６】
本発明の油脂組成物は、油相中のＳＵＳ型トリグリセリド含量が上記範囲である限りにおいて、上記「ＳＵＳ型トリグリセリドそのもの」や、上記「ＳＵＳ型トリグリセリドを多く含有する油脂」に加え、その他のトリグリセリドやその他の油脂を使用することができる。
【００１７】
その他のトリグリセリドとしては、例えば、１、２飽和、３不飽和のトリグリセリド、１飽和、２、３不飽和のトリグリセリド、１、３不飽和、２飽和のトリグリセリド、三飽和トリグリセリド、三不飽和のトリグリセリド、１，２飽和−３不飽和型トリグリセリドであって、脂肪酸の１つ以上が炭素数１４未満又は１８超であるトリグリセリド等が挙げられる。ただし、本発明の油脂組成物では、三飽和トリグリセリドを用いると口溶けが悪くなりやすいため、三飽和トリグリセリドを使用する場合には、その含有量は油相中１０質量％未満とすることが好ましい。
【００１８】
上記のその他の油脂としては、食用に適する油脂であればよく、その代表例としては、大豆油、菜種油、コーン油、綿実油、オリーブ油、落花生油、米油、べに花油、ひまわり油等の常温で液体の油脂が挙げられるが、その他に、パーム核油、ヤシ油、乳脂、牛脂、豚脂、魚油、鯨油等の常温で固体の油脂も用いることができ、更に、これらの食用油脂に水素添加、分別、エステル交換等の物理的又は化学的処理の１種又は２種以上の処理を施した油脂を使用することもできる。本発明においては、これらの油脂を単独で用いることもでき、又は２種以上を組み合わせて用いることもできる。
【００１９】
本発明の油脂組成物において、上記のその他のトリグリセリド及びその他の油脂の配合量は、合計で好ましくは５０質量％以下、さらに好ましくは３０質量％以下である。
【００２０】
また、本発明の油脂組成物においては、上記ＳＵＳ型トリグリセリド中のPOPグリセリ
ドの割合が４０質量％以上、特に６０質量％以上であると、さらに高いブルーム耐性及びよりシャープな口溶けが得られるため好ましい。
これは、ＳＵＳ型トリグリセリドの中でも、POPグリセリドが、最も結晶性が低く、且
つ、融点が低いためと考えられる。
そのため、ＳＵＳ型トリグリセリド中のPOPグリセリドの割合が４０質量％未満である
と、結晶化抑制作用が十分に発揮されず、油脂組成物及び該油脂組成物を使用した食品に比較的短期間にブルームが発生してしまうおそれがあり、また、口溶けがシャープなものでなくなるおそれもある。
尚、ＳＵＳ型トリグリセリド中のPOPグリセリドの割合の上限は、好ましくは９０質量
％である。
【００２１】
上記ＳＵＳ型トリグリセリド中のPOPグリセリドの割合を４０質量％以上とする方法としては、特に限定されないが、精製されたPOPグリセリドを使用する方法や、POPグリセリドを多く含有する油脂を使用する方法、あるいは、分別やエステル交換によりPOPグリセリド含量を高めた油脂を使用する方法等が挙げられ、これらの方法によって、ＳＵＳ型トリグリセリド中のPOPグリセリド含量を調整すればよい。
【００２２】
「ＳＵＳ型トリグリセリドを多く含有する油脂」として先に例示した油脂の中でも、パーム油及びパーム分別脂は、特にＳＵＳ型トリグリセリド中におけるPOPグリセリドが高い。そのため、パーム油及び／又はパーム分別脂を使用することが、ＳＵＳ型トリグリセリド中のPOPグリセリドの割合を４０質量％以上とすることができる点で好ましい。また、パーム油及びパーム分別脂は、簡単に入手可能である点でも好ましい。
【００２３】
また、本発明の油脂組成物は、油相中に、ＨＬＢが３以下のショ糖脂肪酸エステルと、ＨＬＢが３以下のポリグリセリン脂肪酸エステルとを１：９〜９：１、好ましくは２：８〜８：２、より好ましくは２：８〜６：４の質量比率（前者：後者）で含有する。
両者の比率がこの範囲外であると、長期保管時のブルーム耐性が得られない。
【００２４】
上記ショ糖脂肪酸エステルは、乳化剤として使用されるものであり、ＨＬＢが３以下であれば特に制限されるものではないが、好ましくは、構成脂肪酸の８０％以上が炭素数１２〜２２の飽和脂肪酸からなるショ糖脂肪酸エステルを用いる。なお、上記の炭素数１２〜２２の飽和脂肪酸としては、ラウリン酸、ミリスチン酸、パルミチン酸、ステアリン酸、アラキン酸、ベヘニン酸等が挙げられる。
また、上記ショ糖脂肪酸エステルのＨＬＢは、２以下であることが好ましい。尚、上記ショ糖脂肪酸エステルのＨＬＢの下限は、好ましくは０である。
また、本発明の油脂組成物において、上記ショ糖脂肪酸エステルの含有量は、油相基準で０．０５〜０．５質量％であることが好ましい。
【００２５】
また、上記ポリグリセリン脂肪酸エステルは、乳化剤として使用されるものであり、ＨＬＢが５以下であれば特に制限されるものではないが、好ましくは、構成脂肪酸の８０％以上が炭素数１２〜２２の飽和脂肪酸からなるポリグリセリン脂肪酸エステルを用いる。なお、上記の炭素数１２〜２２の飽和脂肪酸としては、ラウリン酸、ミリスチン酸、パルミチン酸、ステアリン酸、アラキン酸、ベヘニン酸等が挙げられる。
また、上記ポリグリセリン脂肪酸エステルのＨＬＢは、４以下であることが好ましい。尚、上記ポリグリセリン脂肪酸エステルのＨＬＢの下限は、好ましくは２である。
また、本発明の油脂組成物において、上記ポリグリセリン脂肪酸エステルの含有量は、油相基準で０．０５〜０．５質量％であることが好ましい。
【００２６】
本発明の油脂組成物は、ＨＬＢが３以下の上記ショ糖脂肪酸エステル及びＨＬＢが５以下の上記ポリグリセリン脂肪酸エステルを合計して、油相中に好ましくは０．１〜１質量％、より好ましくは０．２〜１質量％含む。
０．１質量％未満であると、保管状況によっては長期保管時のブルーム耐性が得られないおそれがあり、１質量％を超えると油脂組成物の口溶けが悪化するおそれがある。
【００２７】
本発明の油脂組成物は、本発明の効果を損ねない範囲において、上記のショ糖脂肪酸エステル及びポリグリセリン脂肪酸エステル以外のその他の乳化剤を含有することができる。
上記その他の乳化剤としては、グリセリン脂肪酸エステル、グリセリン酢酸脂肪酸エステル、グリセリン乳酸脂肪酸エステル、グリセリンコハク酸脂肪酸エステル、グリセリン酒石酸脂肪酸エステル、グリセリンクエン酸脂肪酸エステル、グリセリンジアセチル酒石酸脂肪酸エステル、ソルビタン脂肪酸エステル、ＨＬＢが３を超えるショ糖脂肪酸エステル、ショ糖酢酸イソ酪酸エステル、ＨＬＢが５を超えるポリグリセリン脂肪酸エステル、ポリグリセリン縮合リシノレイン酸エステル、プロピレングリコール脂肪酸エステル、ステアロイル乳酸カルシウム、ステアロイル乳酸ナトリウム、ポリオキシエチレンソルビタンモノグリセリド、大豆レシチン、卵黄レシチン、大豆リゾレシチン、卵黄リゾレシチン、酵素処理卵黄、サポニン、植物ステロール類、乳脂肪球皮膜等が挙げられる。
上記その他の乳化剤の配合量は好ましくは０〜１質量％、より好ましくは０〜０．２質量％である。
【００２８】
本発明の油脂組成物における油相には、油溶性成分を含有させてもよい。該油溶性成分としては、その他の乳化剤として例示した上記乳化剤や、後述のその他の成分のうち、β−カロチン等の着色料、トコフェロール、茶抽出物等の酸化防止剤、着香料等の食品素材や食品添加物が挙げられる。
【００２９】
また、本発明の油脂組成物の油相含量は、好ましくは８０〜１００質量％、より好ましくは９０〜１００質量％である。
すなわち、本発明の油脂組成物における水相含量は、好ましくは２０質量％未満、より好ましくは１０％未満である。
【００３０】
本発明の油脂組成物は、上記以外のその他の成分を含有することができる。該その他の成分としては、例えば、ローカストビーンガム、カラギーナン、アルギン酸類、ペクチン、キサンタンガム、結晶セルロース、カルボキシメチルセルロース、メチルセルロース、寒天、グルコマンナン、ゼラチン、澱粉、化工澱粉等の増粘安定剤、食塩、塩化カリウム等の塩味剤、酢酸、乳酸、グルコン酸等の酸味料、糖類や糖アルコール類、ステビア、アスパルテーム等の甘味料、β−カロチン、カラメル、紅麹色素等の着色料、トコフェロール、茶抽出物等の酸化防止剤、小麦蛋白や大豆蛋白といった植物蛋白、卵及び各種卵加工品、着香料、乳製品、調味料、ｐＨ調整剤、食品保存料、日持ち向上剤、果実、果汁、コーヒー、ナッツペースト、香辛料、ココアマス、ココアパウダー、穀類、豆類、野菜類、肉類、魚介類等の食品素材や食品添加物が挙げられる。
【００３１】
次に、本発明の油脂組成物の好ましい製造方法について説明する。
先ず、上記ＳＵＳ型トリグリセリドを１５〜８０％（油相基準）含有し、且つ、ＨＬＢが３以下のショ糖脂肪酸エステルと、ＨＬＢが５以下のポリグリセリン脂肪酸エステルとを、１：９〜９：１の質量比率で含有する油相を溶解し、必要により水相を混合乳化する。そして、次に殺菌処理するのが望ましい。殺菌方法は、タンクでのバッチ式でも、プレート型熱交換機や掻き取り式熱交換機を用いた連続式でも構わない。
【００３２】
次に、冷却し、結晶化させる。好ましくは冷却可塑化する。冷却条件は、好ましくは−０．５℃／分以上、さらに好ましくは−５℃／分以上とする。この際、徐冷却より、急速冷却の方が好ましい。冷却する機器としては、密閉型連続式チューブ冷却機、例えば、ボテーター、コンピネーター、パーフェクター等のマーガリン製造機やプレート型熱交換機等が挙げられ、また、開放型のダイアクーラーとコンプレクターとの組み合わせも挙げられる。
【００３３】
また、本発明の油脂組成物を製造する際のいずれかの工程で、窒素、空気等を含気させてもよいが、本発明の油脂組成物は、気相を含有することにより粘度が高くなり、特に低温度域での流動性が失われるおそれがあることから、気相は含有させないことが好ましい。
【００３４】
次に、本発明の油脂組成物の用途について説明する。
本発明の油脂組成物は、製菓・製パン・冷菓・惣菜等の練込用、カレールウ用、フライ用、スプレー用、コーティング用、サンド用、トッピング用、クリーム状食品用、油脂性菓子用等に広く使用可能であるが、なかでも、口溶けが良好であること、高いブルーム耐性を有すること、及び長期保存が可能であることが必要とされる用途、例えば、ノーテンパーチョコ、チョコクリーム、チョコチップ、冷菓用チョコレート等の油脂性菓子用、あるいは、ディップクリーム、シュガークリーム、バタークリーム、焼き残りクリーム等のクリーム状食品練込用に、特に好適に使用することができる。
【００３５】
本発明の油脂組成物を使用した油脂性菓子は、口溶けが良好で、高いブルーム耐性を持つことに加え、３０〜３５℃の環境温度における耐熱保型性も良好であるという特徴を有する。
油脂性菓子における本発明の油脂組成物の使用量は、好ましくは５〜８０質量％、より好ましくは３０〜７０質量％である。
【００３６】
また、本発明の油脂組成物を使用したクリーム状食品は、口溶けが良好で、高いブルーム耐性を持つことに加え、クリーミング性や包水性、包蜜性も良好であるという特徴を有する。
クリーム状食品における本発明の油脂組成物の使用量は、好ましくは５〜８０質量％、より好ましくは３０〜７０質量％である。
【実施例】
【００３７】
〔実施例１〜７及び比較例１〜９〕
以下に示す油脂及び乳化剤を用い下記〔表１〕に示す配合に従って調製した油相を、溶解、急冷練り合わせした後、２５℃で２４時間テンパリングし、油脂組成物（ショートニング）を得た。得られたショートニングのＳＵＳ型トリグリセリド含量、ＰＯＰグリセリド含量、及びＰＯＰグリセリド含量／ＳＵＳ型トリグリセリド含量を〔表２〕に記した。
（油脂及び乳化剤）
パーム油：ＳＵＳ型トリグリセリド含量＝３２質量％、POPグリセリド含量＝２８質量
％、ＳＵＳ型トリグリセリドに占めるPOPグリセリドの割合＝８７質量％
パーム中部油：ＳＵＳ型トリグリセリド含量＝７３質量％、POPグリセリド含量＝６０
質量％、ＳＵＳ型トリグリセリドに占めるPOPグリセリドの割合＝８３質量％
カカオ脂：ＳＵＳ型トリグリセリド含量＝８５質量％、POPグリセリド含量＝１７質量
％、ＳＵＳ型トリグリセリドに占めるPOPグリセリドの割合＝２１質量％
ショ糖脂肪酸エステル：HLB＝１
ポリグリセリン脂肪酸エステル：HLB＝４
【００３８】
【表１】
0005496300.tif 000002
【００３９】
【表２】
0005496300.tif 000003
【００４０】
＜油脂組成物の口溶け評価及び保存試験＞
実施例１〜７及び比較例１〜９それぞれで得られた油脂組成物について、製造直後に口溶け評価を行ない、且つ２０℃にて保存試験を行った。口溶けは、下記評価基準に従って４段階で評価した。保存試験においては、０．５ヶ月後、１ヶ月後、３ヶ月後、６ヶ月後及び１２ヶ月後に、油脂組成物の表面状態（ブルーム）について、下記評価基準に従って４段階で評価した。それらの結果を表３に示した。
（評価基準）
・口溶け
◎：極めて良好である。
○：良好である。
△：ワキシー感を感じ、やや悪い。
×：ワキシーであり、極めて悪い。
・ブルーム
◎：ブルームの発生が見られず、艶があり良好な表面状態である。
○：ブルームの発生は見られないが、やや艶がない表面状態である。
△：若干のブルームが発生し、ややざらついた表面状態である。
×：ブルームが発生し、白色化し、ざらついた表面状態である。
【００４１】
【表３】
0005496300.tif 000004
【００４２】
表３からわかるとおり、乳化剤を含有しない比較例１の油脂組成物は、口溶けは良好であるものの、０．５ヶ月目にはブルームが発生していた。
ショ糖脂肪酸エステルのみを使用した比較例２、３、８の油脂組成物は、１〜３ヶ月目にはブルームが発生してしまった。また、ブルーム発生を抑制するためにショ糖脂肪酸エステルの添加量を１．５質量％まで増やした比較例４の油脂組成物は、ブルーム耐性は向上するものの、口溶けが悪化してしまった。
ポリグリセリン脂肪酸エステルのみを使用した比較例５、６、９の油脂組成物は、ショ糖脂肪酸エステルのみを使用した油脂組成物に比べ、ブルーム耐性は向上したものの、３〜６ヶ月後にはブルームが発生してしまった。また、ブルーム発生を抑制するためにポリグリセリン脂肪酸エステルの添加量を１．５質量％まで増やした比較例７の油脂組成物は、ブルーム耐性は向上するものの、口溶けが悪化してしまった。
これに対し、実施例１〜７で得られた油脂組成物は、口溶けが良好で且つ１２ヶ月後でもブルームの発生が見られなかった。特に、ＳＵＳ型トリグリセリド中のPOPグリセリドが少ない実施例７の油脂組成物よりも、ＳＵＳ型トリグリセリド中のPOPグリセリドの多い実施例１〜６の油脂組成物は、より良好なブルーム耐性を有していた。